(57)【要約】【課題】表示装置の筐体構造において、環境条件が高温高湿下であっても、熱膨張により、液晶保護用パネルが剥がれるのを防止する。【解決手段】液晶パネル８（表示部）を保護する保護用パネル１１が貼り付けられた表示装置の筐体構造において、保護用パネル１１の一部を熱硬化性粘着材料１２で表示装置の上側筐体１に固定し、他の部分を熱可塑性粘着材料１３で上側筐体１に固定する。【選択図】図２
2008089838.tif 000002
【特許請求の範囲】
【請求項１】
表示部を保護する保護用パネルが貼り付けられた表示装置の筐体構造において、
上記保護用パネルは、その一部が熱硬化性粘着材料で、他の部分が熱可塑性粘着材料で上記表示装置の筐体に固定されている
ことを特徴とする表示装置の筐体構造。
【請求項２】
請求項１に記載の表示装置の筐体構造において、
上記保護用パネルは、その内側が熱硬化性粘着材料で上記表示装置の筐体に固定され、該熱硬化性粘着材料の外側の部分が熱可塑性粘着材料で上記表示装置の筐体に固定されている
ことを特徴とする表示装置の筐体構造。
【請求項３】
請求項２に記載の表示装置の筐体構造において、
上記筐体は、
上記表示部を露出させる表示部用窓と、
上記表示部用窓の外周に設けられ、上記保護用パネルが嵌め込まれるパネル用凹部とを備えている
ことを特徴とする表示装置の筐体構造。
【請求項４】
請求項３に記載の表示装置の筐体構造において、
上記パネル用凹部に上記保護用パネルが嵌め込まれたときに、該保護用パネルと上記筐体表面とが略面一となっている
ことを特徴とする表示装置の筐体構造。
【請求項５】
請求項３又は４に記載の表示装置の筐体構造において、
２種類の粘着材料の一方が上記表示部表面に粘着され、他方が上記パネル用凹部に粘着される
ことを特徴とする表示装置の筐体構造。
【請求項６】
請求項５に記載の表示装置の筐体構造において、
上記表示部表面に粘着される粘着材料は、上記パネル用凹部底面に粘着される粘着材料よりも厚い
ことを特徴とする表示装置の筐体構造。
【請求項７】
請求項１乃至６のいずれか１つに記載の表示装置の筐体構造において、
上記表示部は、液晶ディスプレイよりなる
ことを特徴とする表示装置の筐体構造。
【請求項８】
請求項１乃至６のいずれか１つに記載の表示装置の筐体構造において、
上記表示部は、有機ＥＬディスプレイよりなる
ことを特徴とする表示装置の筐体構造。
【請求項９】
請求項１乃至８のいずれか１つに記載の表示装置の筐体構造を備えた携帯機器。
【請求項１０】
携帯電話機である
ことを特徴とする請求項９に記載の携帯機器。
【発明の詳細な説明】
【技術分野】
【０００１】
本発明は、表示装置の筐体構造及びそれを備えた携帯機器に関し、特にその表示部保護用パネルの貼り付け構造に関する。
【背景技術】
【０００２】
従来より、表示装置に液晶部分を保護するための液晶保護用パネルを固定する場合、通常は１種類の粘着材料を用いて接着している。このため、環境条件が高温高湿状態になった場合に、粘着材料が軟化して保護用パネルの一部が剥がれるという場合があった。
【０００３】
すなわち、本来、フリーな状態で高温高湿状態に置かれた保護用パネルは温度と湿度の影響に起因する応力による伸びが生じる。しかし、接着剤や両面テープの粘着材料で固定された保護用パネルは伸びようとしても伸びることができない。このため、伸びの応力が保護用パネル内部の向きに変わることで剥がれが発生する。
【０００４】
このような剥がれを解消する手段として、例えば、特許文献１の接続方法がある。この接続方法では、基材の少なくとも一面に粘着材料層を有する粘着テープ又はシートであって、その粘着材料層に異なるガラス転移温度（Ｔｇ）を有する２種類以上の粘着材料が露出するように設けられている粘着テープ又はシート及び巻き出し終了間際の巻重されたシート状物の終端部と、他の巻重されたシート状物の始端部とを接続する際に、接続部の幅方向に亘って粘着テープもしくはシートを貼付することにより接続している。
【特許文献１】特開平９−３４１６号公報
【発明の開示】
【発明が解決しようとする課題】
【０００５】
しかしながら、上記特許文献１の接続方法では、ガラス転移温度（Ｔｇ）のみが違う粘着材料を帯状で使用しているため、高温高湿状態下では、熱膨張により発生した液晶保護用パネルの中央部にかかる応力集中により、逃げ場を失った応力の影響で保護用パネルを浮かせる向きに力が作用し、剥がれが発生するという問題があった。
【０００６】
本発明は、かかる点に鑑みてなされたものであり、その目的とするところは、表示装置の筐体構造において、環境条件が高温高湿下であっても、熱膨張により、液晶保護用パネルが剥がれるのを防止することにある。
【課題を解決するための手段】
【０００７】
上記の目的を達成するために、この発明では、保護用パネル貼り付け用の粘着材料を２種類の粘着材料で構成した。
【０００８】
具体的には、第１の発明では、表示部を保護する保護用パネルが貼り付けられた表示装置の筐体構造を前提とし、
上記保護用パネルは、その一部が熱硬化性粘着材料で、他の部分が熱可塑性粘着材料で上記表示装置の筐体に固定されている。
【０００９】
上記の構成によると、環境条件が高温高湿下において熱可塑性粘着材料部分が軟化したとしても、熱硬化性粘着材料部分が接着後に硬化するため、熱膨張により保護用パネルに加わった該保護用パネルを浮かせる向きの力は、熱硬化性接着材料の硬さと接着力で押さえ込まれる。
【００１０】
第２の発明では、上記保護用パネルは、その内側が熱硬化性粘着材料で上記表示装置の筐体に固定され、該熱硬化性粘着材料の外側の部分が熱可塑性粘着材料で上記表示装置の筐体に固定されている。
【００１１】
上記の構成によると、環境条件が高温高湿下の場合に、保護用パネルが温度と湿度で伸びようとした場合、外側の粘着材料が熱可塑性粘着材料であるため、熱により軟化して伸びの応力を外側に逃がすことができる。また、内側の粘着材料が熱硬化性粘着材料であるため、熱により軟化することはなく、内側への伸び応力を接着力で防ぐことができ、保護用パネルの浮きを抑えることが可能となる。一方、外側の粘着材料が熱可塑性であるため、保護用パネルを剥がしてリペア又はリサイクルする際には、熱をかけることで粘着材料が変形し易くなる。このため、保護用パネルの周辺部が剥がれ易くなり、そこを取っ掛かりとして保護用パネルを剥がし易いので、リペア性及びリサイクル性に優れている。
【００１２】
第３の発明では、上記筐体は、
上記表示部を露出させる表示部用窓と、
上記表示部用窓の外周に設けられ、上記保護用パネルが嵌め込まれるパネル用凹部とを備えている。
【００１３】
上記の構成によると、保護用パネルがパネル用凹部に嵌め込まれる場合、リペア又はリサイクル時に工具等を差し込みにくく、保護用パネルが剥がし難いが、熱を加えることで外側部分が軟化するので、工具を挟み込む等により、保護用パネルを剥がし易くなる。
【００１４】
第４の発明では、上記パネル用凹部に上記保護用パネルが嵌め込まれたときに、該保護用パネルと上記筐体表面とが略面一となっている。
【００１５】
上記の構成によると、保護用パネルと筐体表面とが略面一となっているので、リペア又はリサイクル時に工具等を差し込みにくく、保護用パネルが極めて剥がし難いが、熱を加えることで外側部分が軟化するので、工具を挟み込む等により、保護用パネルを剥がし易くなる。
【００１６】
第５の発明では、２種類の粘着材料の一方が上記表示部表面に粘着され、他方が上記パネル用凹部底面に粘着される。
【００１７】
上記の構成によると、異なる被着体に対して適切な粘着材料を選択することで、保護用パネルが確実に貼り付けられ、剥がれ難くなる。
【００１８】
第６の発明では、上記表示部表面に粘着される粘着材料は、上記パネル用凹部底面に粘着される粘着材料よりも厚い。
【００１９】
上記の構成によると、表示部表面がパネル用凹部底面よりも深い場合であっても、表示部表面に粘着される粘着材料の厚さにより、表示部表面とパネル用凹部底面との間の高さのギャップを無くすことができるので、保護用パネルの貼り付け性が向上し、保護用パネルが剥がれるのが防止される。
【００２０】
第７の発明では、上記表示部は、液晶ディスプレイよりなる。
【００２１】
上記の構成によると、液晶ディスプレイは、安価で寿命が長いことから、高温高湿状態下であっても、熱膨張により剥がれにくい保護用パネルを備えた安価で寿命の長い表示装置の筐体構造が得られる。
【００２２】
第８の発明では、上記表示部は、有機ＥＬディスプレイよりなる。
【００２３】
上記の構成によると、有機ＥＬディスプレイは、自発光を発するため消費電力が小さく、液晶ディスプレイに比べて視野角が広く、且つバックライトを必要としないため、薄型化が可能である。このため、高温高湿状態下であっても、熱膨張により剥がれにくい保護用パネルを備えたコンパクトで消費電力の小さい表示装置の筐体構造が得られる。
【００２４】
第９の発明では、携帯機器は、上記いずれかの発明の表示装置の筐体構造を備えている。
【００２５】
上記の構成によると、保護用パネルを粘着材料で固定しても、高温高湿状態下であっても、熱膨張により剥がれにくいので、締結部品等を必要とせず且つ表示装置を薄くできるので、コンパクトで見映えのよい携帯機器が得られる。
【００２６】
第１０の発明では、携帯電話機が上記いずれかの発明の表示装置の筐体構造を備えている。
【００２７】
上記の構成によると、コンパクトで見映えのよい商品性の高い携帯電話機が得られる。
【発明の効果】
【００２８】
以上説明したように、本発明によれば、保護用パネル貼り付け用の粘着材料を、２種類の粘着材料（一方を熱硬化性粘着材料、他方を熱可塑性粘着材料）にすることで、高温高湿環境化であっても、熱膨張により保護用パネルが剥がれるのを防止することができる。
【発明を実施するための最良の形態】
【００２９】
以下、本発明の実施形態を図面に基づいて説明する。
【００３０】
図１に本発明の実施形態にかかる表示装置の筐体構造の分解図を示す。図２に表示装置の筐体構造の断面図を示す。図３に液晶保護用パネルの正面図及び背面図を示す。
【００３１】
図１及び図２に示すように、本実施形態の表示装置は、携帯電話機（全体図示せず）の上側筐体１に設けられている。上側筐体１は、表面側キャビネット２及び裏面側キャビネット３を備えている。これら表面側キャビネット２及び裏面側キャビネット３は、例えば、ＡＢＳ(アクリロニトリル・ブタジエン・スチレン)、ＰＣ(ポリカーボネート)等のエンジニアリングプラスチック樹脂よりなり、これらにマグネシウムフレーム等よりなる金属補強板４が挟まれている。表面側キャビネット２の中央部には、矩形状の表示部用窓５が開口され、この表示部用窓５の外周には、液晶保護用パネル１１が嵌め込まれるパネル用凹部６が形成されている。
【００３２】
上記金属補強板４には、液晶バックライト７が嵌め込まれ、この液晶バックライト７の表面に表示部としての液晶パネル８が液晶パネル固定用両面テープ９で固定されている。液晶パネル８の周辺部の表面はガラスで被われている。液晶パネル８の中央部の表面側はＰＶＯＨ(ポリビニルアルコール）で被われている。表面側キャビネット２及び裏面側キャビネット３はビス１０で互いに固定されている。液晶パネル８が表示部用窓５から露出した状態で、その上から液晶保護用パネル１１をパネル用凹部６に嵌め込んで２種類の粘着材料で固定するようになっている。
【００３３】
図３に示すように、液晶保護用パネル１１は、強化ガラス又はアクリル樹脂よりなり、中央の液晶パネル８の領域に透明部１１ａが形成されている。透明部１１ａの外側裏面に矩形枠状に熱硬化性粘着材料１２が塗布され、熱硬化性粘着材料１２の外側の部分に熱可塑性粘着材料１３が塗布されている。例えば、熱硬化性粘着材料１２は、エポキシ系接着剤よりなる。熱可塑性粘着材料１３は、アクリル系接着剤、ウレタン系接着剤又はこれらが塗布された両面テープよりなる。それぞれの粘着材料１２，１３は、ペースト状でもフィルム状でもよい。両面テープとして加工されている粘着材料を用いれば、厚さ調整もしやすく貼付作業が容易である。
【００３４】
図２に示すように、液晶保護用パネル１１の粘着材料１２，１３の被着体は、熱硬化性粘着材料１２は液晶パネル８であり、熱可塑性粘着材料１３は表面側キャビネット２のパネル用凹部６底面である。液晶パネル８表面は、パネル用凹部６底面よりも深くなっている。このため、熱硬化性粘着材料１２は、熱可塑性粘着材料１３よりも厚くなっている。
【００３５】
−作用−
次に、本実施形態にかかる表示装置の筐体構造の作用について説明する。
【００３６】
エポキシ系接着剤よりなる熱硬化性粘着材料１２によって、ガラスで被われた液晶パネル８の周辺部表面は、強化ガラス又はアクリル樹脂よりなる液晶保護用パネル１１と水素結合により接着される。
【００３７】
アクリル系接着剤、ウレタン系接着剤よりなる熱可塑性粘着材料１３により、エンジニアリングプラスチック樹脂よりなる表面側キャビネット２は分子間力で液晶保護用パネル１１と接着される。
【００３８】
このように、粘着材料１２，１３の接着力が高くなる組み合わせを用いることで、液晶保護用パネル１１の浮きを抑えることができる。
【００３９】
環境条件が高温高湿下の場合に、液晶保護用パネル１１が温度と湿度で伸びようとした場合、外側の粘着材料が熱可塑性粘着材料１３であるため、熱により軟化して伸びの応力を外側に逃がすことができる。また、内側の粘着材料が熱硬化性粘着材料１２であるため、熱により軟化することはなく、内側への伸び応力を接着力で防ぐことができ、液晶保護用パネル１１の浮きを抑えることができる。
【００４０】
熱硬化性粘着材料１２を熱可塑性粘着材料１３よりも厚くすることで、液晶パネル８表面とパネル用凹部６底面との間の高さのギャップを無くすことができるので、効果的に液晶保護用パネル１１の浮きを抑えることができる。
【００４１】
パネル用凹部６に保護用パネル１１が嵌め込まれたときに、保護用パネル１１と上側筐体１表面とが略面一となる。このため、リペア又はリサイクル時に工具等を差し込みにくく、保護用パネル１１が極めて剥がし難くなっている。しかし、熱可塑性粘着材料１３が液晶保護用パネル１１の外形周辺部にあるため、リペア又はリサイクル際、熱をかけることで粘着材料が変形し易くなるので、液晶保護用パネル１１の周辺部が剥がれ易くなり、そこを取っ掛かりとして工具を挿入する等により、液晶保護用パネル１１を容易に剥がすことができる。
【００４２】
−実施形態の効果−
したがって、本実施形態にかかる表示装置の筐体構造によると、保護用パネル１１を貼り付けるための粘着材料を、２種類の粘着材料（内側を熱硬化性粘着材料１２、外側を熱可塑性粘着材料１３）にすることで、高温高湿環境化で保護用パネル１１が剥がれるのを防止することができる。
【００４３】
（その他の実施形態）
本発明は、上記実施形態について、以下のような構成としてもよい。
【００４４】
すなわち、上記実施形態では、図４に示すように、液晶パネル８表面とパネル用凹部６底面との間の高さのギャップを無くすために、液晶パネル８と液晶保護用パネル１１との間に衝撃緩衝用のクッション２０を挟み込んでもよい。この場合、熱硬化性粘着材料１２はクッション２０と表面側キャビネット２とに接着し、熱可塑性粘着材料１３は表面側キャビネット２に接着する。このことで、上記実施形態と同様に高温高湿環境下においても液晶保護用パネル１１の浮きを抑えることができる。
【００４５】
上記実施形態では、表示部は液晶液晶パネル８としたが、有機ＥＬパネルであってもよい。有機ＥＬパネルは、自発光を発するため消費電力が小さく、液晶パネル８に比べて視野角が広く、且つバックライトを必要としないため、薄型化が可能である。
【００４６】
上記実施形態では、表示装置は、携帯電話機に備えられたものとしたが、ＰＣ、モバイルツール、電子辞書、電卓、複写機、ＰＨＳ、ＰＤＡなどの表示装置を備えた携帯機器でもよい。また、携帯機器に限らず、机上に載置するような携帯しない表示装置にも適用できる。
【００４７】
なお、以上の実施形態は、本質的に好ましい例示であって、本発明、その適用物や用途の範囲を制限することを意図するものではない。
【図面の簡単な説明】
【００４８】
【図１】本発明の実施形態にかかる表示装置の筐体構造の分解図である。
【図２】表示装置の筐体構造の断面図である。
【図３】液晶保護用パネルを示し、（ａ）が正面図で、（ｂ）が背面図である。
【図４】その他の実施形態にかかる図２相当図である。
【符号の説明】
【００４９】
１      上側筐体（筐体）
５      表示部用窓
６      パネル用凹部
８      液晶パネル（表示部）
１１      保護用パネル
１２      熱硬化性粘着材料
１３      熱可塑性粘着材料
【図１】
2008089838.tif 000003
【図２】
2008089838.tif 000004
【図３】
2008089838.tif 000005
【図４】
2008089838.tif 000006